(57)【要約】  【課題】  ネットワークを介して再生用データを提供すると共に、提供した再生用データに対する評価情報の収集を行なうデータ提供方法、データ提供システム、データ提供装置、及びコンピュータを前記データ提供装置として動作させるためのコンピュータプログラムを提供する。  【解決手段】  携帯電話器２のユーザが、コンテンツ提供装置１が提供するＷｅｂサイト上で所望する着信メロディを試聴した場合、コンテンツ提供装置１は、試聴用データの送信終了後に、試聴した着信メロディについての採点及び評価コメントの入力を指示するメニュー画像を携帯電話器２へ提供する。携帯電話器２のユーザは、表示部２５に表示されたメニュー画像に従って採点及びコメントの入力を行なってコンテンツ提供装置１へ送信する。コンテンツ提供装置１は、携帯電話器２から取得した評価情報に基づいて、ＨＤＤ１３の着信音情報ＤＢ及び加入者情報ＤＢを更新する。【選択図】      図２
2005352601.tif 000002
【特許請求の範囲】
【請求項１】
記憶部に記憶してある再生用データをネットワークを介して提供するデータ提供装置が、通信装置からの要求に応じて前記ネットワークを介して再生用データを提供するデータ提供方法において、
前記データ提供装置は、
再生用データを提供した場合に、該再生用データに係る評価情報の返信を前記通信装置に要求し、
前記通信装置は、
要求された評価情報を受け付け、
受け付けた評価情報を前記データ提供装置へ送信し、
前記データ提供装置は、
取得した評価情報を、それぞれの再生用データに対応して前記記憶部に記憶させることを特徴とするデータ提供方法。
【請求項２】
記憶部に記憶してある再生用データをネットワークを介して提供するデータ提供装置が、再生用データの再生手段を有する通信装置からの要求に応じて前記ネットワークを介して再生用データを提供するデータ提供方法において、
前記データ提供装置は、
通信装置からの要求に応じた再生用データ及び該再生用データを前記通信装置が再生した場合に該再生用データに係る評価情報を前記通信装置に送信させる送信命令を提供し、
前記通信装置は、
提供された再生用データを前記再生手段で再生させた場合、前記送信命令に従って評価情報を前記データ提供装置へ送信し、
前記データ提供装置は、
取得した評価情報を、それぞれの再生用データに対応して前記記憶部に記憶させることを特徴とするデータ提供方法。
【請求項３】
前記データ提供装置は、通信装置の機種毎に複数の再生用データを前記記憶部に記憶しており、
前記通信装置は、
自身の機種に対応した再生用データを前記データ提供装置に要求し、
前記データ提供装置は、
要求された機種に対応した再生用データを提供し、
前記通信装置は、
自身の機種に対応して提供された再生用データに係る評価情報を前記データ提供装置へ送信し、
前記データ提供装置は、
取得した評価情報を、該評価情報を送信した通信装置の機種用の再生用データに対応して前記記憶部に記憶させることを特徴とする請求項１又は２に記載のデータ提供方法。
【請求項４】
前記通信装置は、表示部を備え、
自身の機種用の再生用データに係る評価情報を一覧表示するための一覧情報を前記データ提供装置に要求し、
前記データ提供装置は、
前記通信装置の機種用の一覧情報を作成し、
作成した一覧情報を前記通信装置へ提供し、
前記通信装置は、
取得した一覧情報を前記表示部で表示することを特徴とする請求項３に記載のデータ提供方法。
【請求項５】
前記通信装置は、表示部を備え、
自身の機種以外の機種用の再生用データに係る評価情報を一覧表示するための一覧情報を前記データ提供装置に要求し、
前記データ提供装置は、
前記通信装置の機種以外の機種用の一覧情報を作成し、
作成した一覧情報を前記通信装置へ提供し、
前記通信装置は、
取得した一覧情報を前記表示部で表示することを特徴とする請求項３に記載のデータ提供方法。
【請求項６】
前記データ提供装置は、
取得した評価情報の数を、それぞれの再生用データに対応して前記記憶部に記憶させており、
評価情報の数が所定数以上である再生用データに係る評価情報を一覧表示するための一覧情報を作成することを特徴とする請求項４又は５に記載のデータ提供方法。
【請求項７】
前記データ提供装置は、
修正された再生用データに対応して、修正された旨を示す情報を前記記憶部に記憶させており、
各再生用データに係る評価情報を、修正された旨を示す情報を付加して一覧表示するための一覧情報を作成することを特徴とする請求項４乃至６のいずれかひとつに記載のデータ提供方法。
【請求項８】
前記通信装置は、
評価情報を前記データ提供装置へ送信する場合、自身の通信先情報を前記データ提供装置へ送信し、
前記データ提供装置は、
前記通信装置から取得した評価情報及び通信先情報を、再生用データに対応して前記記憶部に記憶させており、
前記記憶部に記憶してある再生用データが修正された場合、該再生用データに対応して前記記憶部に記憶してある通信先情報に係る通信装置へ、再生用データが修正された旨または修正された再生用データの再取得の案内を通知することを特徴とする請求項１乃至７のいずれかひとつに記載のデータ提供方法。
【請求項９】
前記データ提供装置は、
通信装置の通信先情報に対応して、各通信装置が加入する第１サービス又は該第１サービスよりも料金が安い第２サービスを示す加入情報を記憶する加入情報記憶手段を備え、
評価情報及び通信先情報を取得した場合、取得した通信先情報に対応する加入情報を前記加入情報記憶手段に記憶してある加入情報に基づいて特定し、
特定した加入情報が第１サービスを示す場合には第１の重みを、第２サービスを示す場合には前記第１の重みよりも少ない第２の重みを、取得した評価情報に付加して総合評価を算出し、
算出した総合評価を再生用データに対応して前記記憶部に記憶させることを特徴とする請求項８に記載のデータ提供方法。
【請求項１０】
記憶部に記憶してある再生用データをネットワークを介して提供するデータ提供装置と、前記ネットワークを介して再生用データを要求する通信装置とを備えるデータ提供システムにおいて、
前記データ提供装置は、
要求された再生用データを提供した場合に、該再生用データに係る評価情報の返信を前記通信装置に要求する手段を備え、
前記通信装置は、
要求された評価情報を受け付ける手段と、
受け付けた評価情報を前記データ提供装置へ送信する手段とを備え、
前記データ提供装置は、
取得した評価情報を、それぞれの再生用データに対応して前記記憶部に記憶させる記憶制御手段を備えることを特徴とするデータ提供システム。
【請求項１１】
記憶部に記憶してある再生用データをネットワークを介して提供するデータ提供装置と、再生用データの再生手段を有し、前記ネットワークを介して再生用データを要求する通信装置とを備えるデータ提供システムにおいて、
前記データ提供装置は、
通信装置から要求された再生用データ及び該再生用データを前記通信装置が再生した場合に該再生用データに係る評価情報を前記通信装置に送信させる送信命令を提供する手段を備え、
前記通信装置は、
提供された再生用データを前記再生手段で再生させた場合、前記送信命令に従って評価情報を前記データ提供装置へ送信する手段を備え、
前記データ提供装置は、
取得した評価情報を、それぞれの再生用データに対応して前記記憶部に記憶させる記憶制御手段を備えることを特徴とするデータ提供システム。
【請求項１２】
ネットワークとの接続を行なう接続部と、複数の再生用データを記憶する記憶部と、該記憶部に記憶してある再生用データの要求を受け付ける要求受付手段と、該要求受付手段が受け付けた要求に対応する再生用データを前記接続部から外部の要求先へ提供する提供手段とを備えるデータ提供装置において、
前記提供手段が再生用データを提供した場合に、該再生用データに係る評価情報の返信を前記要求先に要求する手段と、
前記要求先から返信された評価情報を取得した場合、取得した評価情報をそれぞれの再生用データに対応して前記記憶部に記憶させる記憶制御手段と
を備えることを特徴とするデータ提供装置。
【請求項１３】
前記記憶部は、再生用データの要求先の機種毎に複数の再生用データを記憶しており、
前記要求受付手段は、要求先の機種に対応した再生用データの要求を受け付けるように構成してあり、
前記提供手段は、前記要求に係る機種に対応した再生用データを提供するように構成してあり、
前記記憶制御手段は、前記機種に対応して取得した評価情報を、前記機種用の再生用データに対応して前記記憶部に記憶させるように構成してあること
を特徴とする請求項１２に記載のデータ提供装置。
【請求項１４】
各機種用の再生用データに係る評価情報を一覧表示するための一覧情報を作成する作成手段を備え、
前記要求受付手段は、前記一覧情報の要求を受け付けるように構成してあり、
前記提供手段は、前記要求に基づき前記作成手段が作成した一覧情報を外部の要求先へ提供するように構成してあることを特徴とする請求項１３に記載のデータ提供装置。
【請求項１５】
ネットワークとの接続を行なう接続部と、複数の再生用データを記憶する記憶部とを有するコンピュータに、要求された再生用データを前記接続部から外部の要求先へ提供させるためのコンピュータプログラムにおいて、
前記コンピュータを、
要求された再生用データを外部の要求先へ提供した場合に、該再生用データに係る評価情報の返信を前記要求先に要求する手段と、
前記要求先から返信された評価情報を取得した場合、取得した評価情報をそれぞれの再生用データに対応して前記記憶部に記憶させる記憶制御手段として機能させることを特徴とするコンピュータプログラム。
【発明の詳細な説明】
【技術分野】
【０００１】
本発明は、ネットワークを介して再生用データを提供すると共に、提供した再生用データに対する評価情報の収集を行なうデータ提供方法、データ提供システム、データ提供装置、及びコンピュータプログラムに関する。
【背景技術】
【０００２】
昨今では、ＰＤＡ（Personal Digital Assistant）を代表としたモバイルコンピュータ、携帯電話器、及びＰＨＳ（Personal Handy phone System）電話器等の携帯端末装置における多機能化、表示画面の大型化及び高解像度化が著しく、このような携帯端末装置にネットワークを介して各種のデータを提供するシステムが構築されている。携帯電話器での利用が可能なシステムとしては、例えば、株式会社エヌ・ティー・ティー・ドコモが提供するｉモード（登録商標）、ボーダフォン株式会社が提供するボーダフォンライブ（登録商標）、ＫＤＤＩ株式会社が提供するＥＺｗｅｂ（登録商標）等のサービスがあり、それぞれのサービスに対応した携帯電話器を用いることにより、ｉモード用、ボーダフォンライブ用又はＥＺｗｅｂ用の各種コンテンツの提供を受けることができる。
【０００３】
また、近年では、携帯電話器を利用した通話時の通話音の音質の向上のみならず、携帯電話器に電話又はメールが着信したときにその旨をユーザに知らせるための着信音の音質の向上も目覚しい。携帯電話器には例えば１６和音、３２和音等により表現される着信メロディの出力が可能なものが提供されており、このような携帯電話器が普及すると共に、携帯電話器へコンテンツとして音声データを提供するサービスの人気が高まっている。なお、着信メロディを携帯電話器へ提供するシステムとしては、以下の特許文献１に示すものがある。
【特許文献１】特開２００２−１４２０４４号公報
【特許文献２】特開２００３−０５８６７２号公報
【発明の開示】
【発明が解決しようとする課題】
【０００４】
しかし、特許文献１に係る着信メロディの提供システムでは、ユーザが所望する着信メロディを提供するのみであって、提供されたユーザによる着信メロディの評価にまでは至っていない。従って、着信メロディを提供するサービス提供者は、提供している着信メロディにおけるユーザの評価を把握することができないため、提供する着信メロディにユーザの評価を反映させることができないと云う問題がある。
【０００５】
一方、特許文献２では、レストラン及びホテル等の店舗に関する情報を提供する提供装置において、顧客がそれぞれの店舗を利用した場合の感想及び評価を収集するシステムが提案されている。このように顧客から収集された評価は、それ以降に利用する顧客による店舗の選択基準として利用されると共に、店舗側においても営業方針の改善等に利用される。しかし、特許文献２に係るシステムでは、顧客は、各店舗の感想及び評価を行なう場合、例えばインターネットを介して、上述の提供装置へアクセスした上で所定のＷｅｂサイト上で感想及び評価を書き込む必要があり、顧客の手間を要するため、感想及び評価の回答率の向上が図れないおそれがある。
【０００６】
本発明は、斯かる問題に鑑みてなされたものであり、その目的とするところは、コンテンツ（再生用データ）を提供した場合に、提供するコンテンツについての評価情報の返信を提供先へ要求し、提供先から返信された評価情報を管理することによって、提供するコンテンツに評価情報を反映させることができ、より良いコンテンツの提供を実施するデータ提供方法、データ提供システム、データ提供装置及びコンピュータプログラムを提供することにある。
【０００７】
また、本発明の他の目的は、コンテンツの提供先機器の機種毎に、各コンテンツの評価情報を管理することによって、それぞれの機種に対応したより良いコンテンツの提供を実施するデータ提供方法及びデータ提供装置を提供することにある。
【０００８】
更に、本発明の他の目的は、それぞれのコンテンツの評価情報を一覧表示するための一覧情報を提供することによって、コンテンツの提供を受けるユーザが、各コンテンツの評価情報に基づいて、要求するコンテンツを選択することを可能とするデータ提供方法及びデータ提供装置を提供することにある。
【課題を解決するための手段】
【０００９】
上記課題を解決するために第１発明に係るデータ提供方法は、記憶部に記憶してある再生用データをネットワークを介して提供するデータ提供装置が、通信装置からの要求に応じて前記ネットワークを介して再生用データを提供するデータ提供方法において、前記データ提供装置は、再生用データを提供した場合に、該再生用データに係る評価情報の返信を前記通信装置に要求し、前記通信装置は、要求された評価情報を受け付け、受け付けた評価情報を前記データ提供装置へ送信し、前記データ提供装置は、取得した評価情報を、それぞれの再生用データに対応して前記記憶部に記憶させることを特徴とする。
【００１０】
第２発明に係るデータ提供方法は、記憶部に記憶してある再生用データをネットワークを介して提供するデータ提供装置が、再生用データの再生手段を有する通信装置からの要求に応じて前記ネットワークを介して再生用データを提供するデータ提供方法において、前記データ提供装置は、通信装置からの要求に応じた再生用データ及び該再生用データを前記通信装置が再生した場合に該再生用データに係る評価情報を前記通信装置に送信させる送信命令を提供し、前記通信装置は、提供された再生用データを前記再生手段で再生させた場合、前記送信命令に従って評価情報を前記データ提供装置へ送信し、前記データ提供装置は、取得した評価情報を、それぞれの再生用データに対応して前記記憶部に記憶させることを特徴とする。
【００１１】
第３発明に係るデータ提供方法は、前記データ提供装置が通信装置の機種毎に複数の再生用データを前記記憶部に記憶しており、前記通信装置は、自身の機種に対応した再生用データを前記データ提供装置に要求し、前記データ提供装置は、要求された機種に対応した再生用データを提供し、前記通信装置は、自身の機種に対応して提供された再生用データに係る評価情報を前記データ提供装置へ送信し、前記データ提供装置は、取得した評価情報を、該評価情報を送信した通信装置の機種用の再生用データに対応して前記記憶部に記憶させることを特徴とする。
【００１２】
第４発明に係るデータ提供方法は、前記通信装置が表示部を備え、自身の機種用の再生用データに係る評価情報を一覧表示するための一覧情報を前記データ提供装置に要求し、前記データ提供装置は、前記通信装置の機種用の一覧情報を作成し、作成した一覧情報を前記通信装置へ提供し、前記通信装置は、取得した一覧情報を前記表示部で表示することを特徴とする。
【００１３】
第５発明に係るデータ提供方法は、前記通信装置が表示部を備え、自身の機種以外の機種用の再生用データに係る評価情報を一覧表示するための一覧情報を前記データ提供装置に要求し、前記データ提供装置は、前記通信装置の機種以外の機種用の一覧情報を作成し、作成した一覧情報を前記通信装置へ提供し、前記通信装置は、取得した一覧情報を前記表示部で表示することを特徴とする。
【００１４】
第６発明に係るデータ提供方法は、前記データ提供装置が、取得した評価情報の数を、それぞれの再生用データに対応して前記記憶部に記憶させており、評価情報の数が所定数以上である再生用データに係る評価情報を一覧表示するための一覧情報を作成することを特徴とする。
【００１５】
第７発明に係るデータ提供方法は、前記データ提供装置が、修正された再生用データに対応して、修正された旨を示す情報を前記記憶部に記憶させており、各再生用データに係る評価情報を、修正された旨を示す情報を付加して一覧表示するための一覧情報を作成することを特徴とする。
【００１６】
第８発明に係るデータ提供方法は、前記通信装置が、評価情報を前記データ提供装置へ送信する場合、自身の通信先情報を前記データ提供装置へ送信し、前記データ提供装置は、前記通信装置から取得した評価情報及び通信先情報を、再生用データに対応して前記記憶部に記憶させており、前記記憶部に記憶してある再生用データが修正された場合、該再生用データに対応して前記記憶部に記憶してある通信先情報に係る通信装置へ、再生用データが修正された旨または修正された再生用データの再取得の案内を通知することを特徴とする。
【００１７】
第９発明に係るデータ提供方法は、前記データ提供装置が、通信装置の通信先情報に対応して、各通信装置が加入する第１サービス又は該第１サービスよりも料金が安い第２サービスを示す加入情報を記憶する加入情報記憶手段を備え、評価情報及び通信先情報を取得した場合、取得した通信先情報に対応する加入情報を前記加入情報記憶手段に記憶してある加入情報に基づいて特定し、特定した加入情報が第１サービスを示す場合には第１の重みを、第２サービスを示す場合には前記第１の重みよりも少ない第２の重みを、取得した評価情報に付加して総合評価を算出し、算出した総合評価を再生用データに対応して前記記憶部に記憶させることを特徴とする。
【００１８】
第１０発明に係るデータ提供システムは、記憶部に記憶してある再生用データをネットワークを介して提供するデータ提供装置と、前記ネットワークを介して再生用データを要求する通信装置とを備えるデータ提供システムにおいて、前記データ提供装置は、要求された再生用データを提供した場合に、該再生用データに係る評価情報の返信を前記通信装置に要求する手段を備え、前記通信装置は、要求された評価情報を受け付ける手段と、受け付けた評価情報を前記データ提供装置へ送信する手段とを備え、前記データ提供装置は、取得した評価情報を、それぞれの再生用データに対応して前記記憶部に記憶させる記憶制御手段を備えることを特徴とする。
【００１９】
第１１発明に係るデータ提供システムは、記憶部に記憶してある再生用データをネットワークを介して提供するデータ提供装置と、再生用データの再生手段を有し、前記ネットワークを介して再生用データを要求する通信装置とを備えるデータ提供システムにおいて、前記データ提供装置は、通信装置から要求された再生用データ及び該再生用データを前記通信装置が再生した場合に該再生用データに係る評価情報を前記通信装置に送信させる送信命令を提供する手段を備え、前記通信装置は、提供された再生用データを前記再生手段で再生させた場合、前記送信命令に従って評価情報を前記データ提供装置へ送信する手段を備え、前記データ提供装置は、取得した評価情報を、それぞれの再生用データに対応して前記記憶部に記憶させる記憶制御手段を備えることを特徴とする。
【００２０】
第１２発明に係るデータ提供装置は、ネットワークとの接続を行なう接続部と、複数の再生用データを記憶する記憶部と、該記憶部に記憶してある再生用データの要求を受け付ける要求受付手段と、該要求受付手段が受け付けた要求に対応する再生用データを前記接続部から外部の要求先へ提供する提供手段とを備えるデータ提供装置において、前記提供手段が再生用データを提供した場合に、該再生用データに係る評価情報の返信を前記要求先に要求する手段と、前記要求先から返信された評価情報を取得した場合、取得した評価情報をそれぞれの再生用データに対応して前記記憶部に記憶させる記憶制御手段とを備えることを特徴とする。
【００２１】
第１３発明に係るデータ提供装置は、前記記憶部が、再生用データの要求先の機種毎に複数の再生用データを記憶しており、前記要求受付手段は、要求先の機種に対応した再生用データの要求を受け付けるように構成してあり、前記提供手段は、前記要求に係る機種に対応した再生用データを提供するように構成してあり、前記記憶制御手段は、前記機種に対応して取得した評価情報を、前記機種用の再生用データに対応して前記記憶部に記憶させるように構成してあることを特徴とする。
【００２２】
第１４発明に係るデータ提供装置は、各機種用の再生用データに係る評価情報を一覧表示するための一覧情報を作成する作成手段を備え、前記要求受付手段は、前記一覧情報の要求を受け付けるように構成してあり、前記提供手段は、前記要求に基づき前記作成手段が作成した一覧情報を外部の要求先へ提供するように構成してあることを特徴とする。
【００２３】
第１５発明に係るコンピュータプログラムは、ネットワークとの接続を行なう接続部と、複数の再生用データを記憶する記憶部とを有するコンピュータに、要求された再生用データを前記接続部から外部の要求先へ提供させるためのコンピュータプログラムにおいて、前記コンピュータを、要求された再生用データを外部の要求先へ提供した場合に、該再生用データに係る評価情報の返信を前記要求先に要求する手段と、前記要求先から返信された評価情報を取得した場合、取得した評価情報をそれぞれの再生用データに対応して前記記憶部に記憶させる記憶制御手段として機能させることを特徴とする。
【００２４】
第１発明、第１０発明、第１２発明及び第１５発明にあっては、データ提供装置が、ネットワークを介した通信装置からの要求に応じて再生用データを提供した場合に、提供した再生用データに係る評価情報の返信を前記通信装置に要求し、前記通信装置から返信された評価情報を取得した場合、取得した評価情報を、それぞれの再生用データに対応して記憶させる。よって、データ提供装置において、提供する再生用データの管理と共にそれぞれの再生用データの評価情報の管理が可能となる。
【００２５】
第２発明及び第１１発明にあっては、データ提供装置は、ネットワークを介した通信装置からの要求に応じた再生用データと、該再生用データを前記通信装置が再生した場合に該再生用データに係る評価情報を前記通信装置に送信させる送信命令とを前記通信装置に提供する。また、データ提供装置は、提供された再生用データを再生した場合に前記送信命令に従って通信装置が送信した評価情報を取得し、取得した評価情報を、それぞれの再生用データに対応して記憶させる。よって、データ提供装置において、提供する再生用データの管理と共にそれぞれの再生用データの評価情報の管理が可能となる。
【００２６】
第３発明及び第１３発明にあっては、データ提供装置が、通信装置の機種毎に複数の再生用データを用意しており、通信装置の機種に対応した再生用データの要求に応じて、対応する機種用の再生用データを提供する。また、データ提供装置は、通信装置から該通信装置の機種用の再生用データに係る評価情報を取得し、取得した評価情報を、前記通信装置の機種用の再生用データに対応して記憶させる。よって、データ提供装置が提供する再生用データの評価情報を、通信装置の機種毎に管理することが可能となる。
【００２７】
第４発明、第５発明及び第１４発明にあっては、データ提供装置は、再生用データを提供するために通信を行なっている通信装置の機種用の再生用データに係る評価情報を一覧表示するための一覧情報、又は該機種以外の機種用の再生用データに係る評価情報を一覧表示するための一覧情報を作成して前記通信装置へ提供する。よって、通信装置で表示された評価情報の一覧によって、各機種用の再生用データについて収集された評価情報を表示することが可能となる。
【００２８】
第６発明にあっては、データ提供装置は、取得した評価情報の数が所定数以上である再生用データに係る評価情報を一覧表示するための一覧情報を作成して通信装置へ提供することにより、収集した評価情報の母集団が少ない再生用データの評価情報を表示させず、十分な母集団の評価情報のみを表示した一覧を提供する。
【００２９】
第７発明にあっては、データ提供装置は、提供する再生用データが修正された場合に、修正された再生用データに対応して、修正された旨を示す情報を記憶させる。データ提供装置は、修正された各再生用データに係る評価情報を、修正された旨を示す情報を付加して一覧表示するための一覧情報を作成して通信装置へ提供することにより、通信装置で表示された評価情報の一覧によって、各再生用データが修正されたか否かを把握することが可能となる。
【００３０】
第８発明にあっては、データ提供装置は、通信装置から評価情報と共に該通信装置の通信先情報を取得し、取得した評価情報及び通信先情報を、再生用データに対応して記憶させる。データ提供装置は、提供する再生用データが修正された場合に、修正された再生用データに対応して記憶された通信先情報に係る通信装置へ、再生用データが修正された旨または修正された再生用データの再取得の案内を通知する。よって、再生用データを提供されたユーザから収集した評価情報を各再生用データに反映させることが可能となると共に、評価情報に基づいて各再生用データが修正されたことを各ユーザへ通知することが可能となる。
【００３１】
第９発明にあっては、データ提供装置が、通信装置の通信先情報に対応して、各通信装置が加入する第１サービス又は該第１サービスよりも料金が安い第２サービスを示す加入情報を記憶しており、評価情報及び通信先情報を取得した場合、取得した通信先情報に対応する加入情報が第１サービスを示す場合には第１の重みを、第２サービスを示す場合には前記第１の重みよりも少ない第２の重みを、取得した評価情報に付加して総合評価を算出し、算出した総合評価を再生用データに対応する評価情報とする。よって、第２サービスよりも料金が高い第１サービスに加入しているユーザによる評価情報に重みを付加することにより、料金の高いサービスへの加入の促進が図られる。
【発明の効果】
【００３２】
第１発明、第１０発明、第１２発明及び第１５発明によれば、データ提供装置は、ネットワークを介した通信装置からの要求に応じて再生用データを提供した場合に、提供した再生用データに係る評価情報の返信を前記通信装置に要求する。データ提供装置は、前記通信装置から返信された評価情報を取得し、取得した評価情報を、それぞれの再生用データに対応して記憶させ、各再生用データと共にそれぞれの再生用データの評価情報を管理する。従って、提供する再生用データの評価情報を把握できると共に、提供する再生用データに収集した評価情報を反映させることができ、より良い再生用データの提供を実施できる。
また、再生用データを提供した直後に評価情報の返信を要求するため、それぞれの再生用データについて、提供されたユーザの第１印象での評価を収集することができる。更に、ユーザは、提供された再生用データを評価するために所定のサーバにアクセスする必要がなく、ユーザの手間を必要としない。
【００３３】
第２発明及び第１１発明によれば、データ提供装置は、ネットワークを介した通信装置からの要求に応じた再生用データと、該再生用データを前記通信装置が再生した場合に該再生用データに係る評価情報を前記通信装置に送信させる送信命令を前記通信装置に提供する。データ提供装置は、提供された再生用データを再生した場合に前記送信命令に従って前記通信装置が送信した評価情報を取得し、取得した評価情報を、それぞれの再生用データに対応して記憶させ、各再生用データと共にそれぞれの再生用データの評価情報を管理する。従って、提供する再生用データの評価情報を把握できると共に、提供する再生用データに収集した評価情報を反映させることができ、より良い再生用データの提供を実施できる。
また、再生用データを再生させた場合に評価情報の送信を要求するため、それぞれの再生用データについて、再生用データを再生させたユーザの第１印象での評価を収集することができる。更に、ユーザは、提供された再生用データを評価するために所定のサーバにアクセスする必要がなく、ユーザの手間を必要としない。
【００３４】
第３発明及び第１３発明によれば、データ提供装置が、通信装置の機種毎に複数の再生用データを用意しており、通信装置の機種に対応した再生用データの要求に応じて、対応する機種用の再生用データを提供する。また、データ提供装置は、通信装置から該通信装置の機種用の再生用データに係る評価情報を取得し、取得した評価情報を、前記通信装置の機種用の再生用データに対応して管理する。よって、データ提供装置が提供する再生用データの評価情報を、通信装置の機種毎に把握することができ、それぞれの機種に対応したより良い再生用データの提供を実施できる。
【００３５】
第４発明、第５発明及び第１４発明によれば、データ提供装置が、再生用データを提供するために通信を行なっている通信装置の機種用の再生用データに係る評価情報を一覧表示するための一覧情報、又は該機種以外の機種用の再生用データに係る評価情報を一覧表示するための一覧情報を前記通信装置へ提供することにより、通信装置で表示された評価情報の一覧によって、各機種用の再生用データについて収集された評価情報の確認が容易となる。従って、再生用データの提供を受けるユーザは、各再生用データの評価情報に基づいて所望する再生用データを容易に選択することができ、より高い評価の再生用データを取得することができる。また、再生用データの提供者は、低い評価の再生用データの提供を中止する等の対策を採ることができる。
【００３６】
第６発明によれば、データ提供装置が、取得した評価情報の数が所定数以上である再生用データに係る評価情報のみを一覧表示する一覧情報を通信装置へ提供することにより、収集した評価情報の母集団が少ない再生用データについては評価情報を表示させない一覧情報を提供する。よって、十分な母集団を有する評価情報についてのみ提供することができ、再生用データの提供を受けるユーザは適切な評価情報に基づいて再生用データを要求することができる。
【００３７】
第７発明によれば、データ提供装置が、修正された再生用データに係る評価情報を、修正された旨を示す情報を付加して一覧表示する一覧情報を通信装置へ提供することにより、提供された一覧情報に基づく評価情報の一覧によって各再生用データが修正されたか否かを把握することができ、再生用データの提供を受けるユーザは修正されたか否かに基づいて各再生用データを要求することができる。
【００３８】
第８発明によれば、データ提供装置が、通信装置から評価情報と共に該通信装置の通信先情報を取得し、取得した評価情報及び通信先情報を、再生用データに対応して記憶させておく。データ提供装置が、提供する再生用データが修正された場合に、修正された再生用データに対応して記憶された通信先情報に係る通信装置へ、再生用データが修正された旨または修正された再生用データの再取得の案内を通知することにより、再生用データを提供されたユーザから収集した評価情報を各再生用データに反映させることができると共に、評価情報に基づいて各再生用データが修正されたことを各ユーザへ通知することができる。
【００３９】
第９発明によれば、第２サービスよりも料金が高い第１サービスに加入している通信装置のユーザによる評価情報に大きい重みを付加して各再生用データの総合評価を算出し、算出した総合評価を各再生用データに対応する評価情報とすることにより、料金の高いサービスへの加入の促進が図られる。
【発明を実施するための最良の形態】
【００４０】
以下に、本発明に係るデータ提供システムをその実施の形態を示す図面に基づいて詳述する。図１は本発明に係るデータ提供システムを利用したコンテンツ提供システムの構成例を示す模式図である。本実施形態のコンテンツ提供システム１００は、事業体が運営するコンテンツ配信サービスに加入したユーザが有する通信装置である携帯電話器２ａ〜２ｍへ、要求されたコンテンツ（再生用データ）を提供するものである。
【００４１】
本実施形態では、本発明のデータ提供装置としてのコンテンツ提供装置１は、携帯電話器２ａ〜２ｍに電話又はメールが着信したときにその旨をユーザに知らせるための着信音に利用する着信メロディを提供するものとして説明する。なお、コンテンツ提供装置１が携帯電話器２ａ〜２ｍに提供するコンテンツとしては、着信メロディに限られず、携帯電話器２ａ〜２ｍによって動作可能なゲーム、携帯電話器２ａ〜２ｍのモニタに待ち受け画面として表示可能な画像データ等がある。また、本実施形態のコンテンツ提供システム１００では、コンテンツ提供装置１が携帯電話器２へ着信メロディを提供するだけでなく、提供した着信メロディについての評価を携帯電話器２のユーザに行なってもらい、各着信メロディの評価情報の収集及び管理もコンテンツ提供装置１が行なう。
【００４２】
コンテンツ提供システム１００は、コンテンツ配信サービスを運営する事業体によって管理されるコンテンツ提供装置１と、多数の携帯電話器２ａ〜２ｍのそれぞれとの無線接続を行なう多数の中継基地局４ａ〜４ｎとを夫々ネットワーク３に接続した構成としている。なお、以下では、多数の携帯電話器２ａ〜２ｍをまとめて携帯電話器２と記載し、多数の中継基地局４ａ〜４ｎをまとめて中継基地局４と記載して説明する。
【００４３】
コンテンツ配信サービスへの加入は、各ユーザが所定の店舗において申し込みを行なう、又は各ユーザが携帯電話器２でコンテンツ提供装置１がネットワーク３上で公開するＷｅｂサイトで申し込みを行なうことで行なわれ、この申し込みにより各携帯電話器２が有する固有の識別データ（電話番号に相当）がコンテンツ提供装置１で管理される。
【００４４】
以下に、本実施形態のコンテンツ提供システム１００におけるコンテンツ提供装置１及び携帯電話器２の内部構成について説明する。図２は本実施形態のコンテンツ提供装置１及び携帯電話器２の内部構成例を示すブロック図である。携帯電話器２は、システムコントロール部２０、第１メモリ部２１、第２メモリ部２２、音声入力部２３、音声出力部２４、表示部２５、操作部２６、通信部２７等を備えており、それぞれはバス２ａで相互に接続されている。
【００４５】
システムコントロール部２０は、ＣＰＵ（Central Processing Unit ）又はＭＰＵ（Micro Processor Unit）等により構成されており、バス２ａを介して接続される上述したようなハードウェア各部を制御すると共に、第１メモリ部２１に予め格納されている制御プログラムに従って所定の動作を実行する。
【００４６】
第１メモリ部２１は、ＲＯＭ又はフラッシュメモリ等により構成されており、システムコントロール部２０が行なう制御内容を規定した制御プログラムを各種記憶している。本実施形態では、所望のＷｅｂサイトに接続する通信プログラム、Ｗｅｂサイトの画像閲覧処理に係るブラウザプログラム等が第１メモリ部２１に記憶されている。第２メモリ部２２は、ＲＡＭ又はフラッシュメモリ等により構成されており、システムコントロール部２０による制御プログラムの実行時に発生するデータ、所望のＷｅｂサイトから取得した着信音データ（着信メロディ）等を記憶する。また、第１メモリ部２１は携帯電話器２が有する各種機能を選択できるようにするメニュー画像、携帯電話器２の機種情報（機種名）、及び携帯電話器２の電話番号（通信先情報）等も記憶している。
【００４７】
音声入力部２３はマイクに相当するものであり、携帯電話器２が電話器として使用される際にユーザが話した音声を取得して通信部２７へ伝送する処理を行なう。音声出力部２４は音声増幅回路及びスピーカ等を備えており、携帯電話器２が電話器として使用される際には着信音及び通話先からの通話音を出力する。なお、本実施形態では、音声出力部２４は、コンテンツ提供装置１から提供される着信メロディ（再生用データ）を再生する再生手段として動作する。
【００４８】
表示部２５は、システムコントロール部２０の制御に基づき通信部２７で受信したＷｅｂサイト画像、操作部２６で操作入力された内容、及び第１メモリ部２１に予め記憶されているメニュー画像等の各種内容を表示する。操作部２６は、所望のＷｅｂサイトへアクセスする際等にユーザからの操作入力を受け付ける複数のボタン、各種の選択処理の際に用いる確定ボタン、及びユーザが各種の操作ボタンを操作している際に直前の操作状態に戻る場合に用いるクリアボタン等で構成される。
【００４９】
通信部２７は、無線通話及び無線通信に係る電波の送受信を行なうアンテナ２７ａに接続されており、システムコントロール部２０の制御により外部との通話及び通信を行なう手段であり、アンテナ２７ａを介して最寄りの中継基地局４との接続を確立する。よって、通信部２７は、携帯電話器２が電話器として使用される際は通話音声を送受し、携帯電話器２が通信器として使用される際は各種データの通信を行なう。なお、通信されるデータにはインターネットのようなネットワークで公開されるＷｅｂサイト画像、及びＷｅｂアプリケーション等がある。
【００５０】
システムコントロール部２０は上述した各部の制御を行ない、特に本実施形態では、第１メモリ部２１に記憶してある通信プログラム及びブラウザプログラムに従って着信メロディを提供する所望のＷｅｂサイトへアクセスして、所望の着信メロディを取得する制御処理を行なう。
【００５１】
このような制御処理をシステムコントロール部２０が行なうことにより携帯電話器２のユーザは、所望する着信メロディを取得できると共に、取得した着信メロディを着信音として使用することができる。なお、所望のＷｅｂサイトへのアクセス及び所望の着信メロディの取得（ダウンロード）等は、コンテンツ提供装置１との通信によって送られてくるメニュー画像等に基づきユーザからの所要の操作を操作部２６で受け付けることで行なう。
【００５２】
携帯電話器２は、一般にネットワーク上で公開されている各事業体が運営するＷｅｂサイトへ通信部２７の処理によりアクセスする場合、第１メモリ部２１に記憶してある機種名及び電話番号をアクセス先のＷｅｂサイトに係るＷｅｂサーバへ送信する仕様になっている。
【００５３】
次に、コンテンツ提供装置１の構成について説明する。コンテンツ提供装置１は、図２に示すように、制御部１０、ＲＯＭ１１、ＲＡＭ１２、ＨＤＤ（Hard Disk Drive）１３及び通信インタフェース１４等を備えており、それぞれはバス１ａで相互に接続されている。通信インタフェース（接続部）１４は、ネットワーク３と接続されてアクセス先とのデータ送受に係る通信処理を制御部１０の制御に基づき行ない、ＨＤＤ１３に記憶してある各種データをアクセス先（提供先機器）の携帯電話器２へ送信する処理等を行なう。
【００５４】
制御部１０は、ＣＰＵ又はＭＰＵ等により構成されており、バス１ａを介して接続される上述したようなハードウェア各部を制御すると共に、ＲＯＭ１１に予め格納されている制御プログラムをＲＡＭ１２に読み出して順次実行する。ＲＯＭ１１は、制御部１０の主要処理に係る制御プログラムを予め記憶している。ＲＡＭ１２は、制御部１０による制御プログラムの実行時に発生するデータを一時的に記憶する。
【００５５】
ＨＤＤ１３には、制御部１０が行なう制御内容を規定した制御プログラム、及びアクセスしてきた外部機器である携帯電話器２の表示部２５で表示させる各種メニュー画像等を記憶している。なお、コンテンツ提供装置１から配信されてアクセス先の携帯電話器２で表示される画像の例を、後述する図４及び図５に示す。
【００５６】
ＨＤＤ１３は、図４及び図５で示すようなメニュー画像を介した携帯電話器２からの要求に応じて提供する着信メロディに係るダウンロード用データ（再生用データ）と、着信メロディをダウンロードせずに試聴するための試聴用データ（再生用データ）とを記憶している。なお、ダウンロード用データ及び試聴用データは、携帯電話器２の機種名毎に、各着信メロディを示す曲番に対応してＨＤＤ（記憶部）１３に記憶されている。
【００５７】
またＨＤＤ１３は、着信音情報データベース（以下、着信音ＤＢという）及び加入者情報データベース（以下、加入者情報ＤＢという）を記憶している。着信音情報ＤＢは、図３（ａ）に示すように、ＨＤＤ１３にダウンロード用データとして記憶してあるそれぞれの機種名毎の着信メロディ（着信音）について、曲番、曲名、評価、表示マーク、評価合計、評価数、評価コメント等を蓄積したものである。なお、着信音情報ＤＢの内容は、新たな着信メロディの提供が開始される都度、制御部１０の処理により更新される。
【００５８】
また、加入者情報ＤＢは、図３（ｂ）に示すように、コンテンツ配信サービスに加入している加入者毎に、加入者に割り当てられた加入者ＩＤ、各加入者が有する携帯電話器２の電話番号、例えば１ヶ月のような所定期間においてコンテンツ配信サービスを利用した着信メロディのダウンロード曲数、ダウンロード曲履歴、同様に所定期間においてコンテンツ配信サービスを利用した着信メロディの採点曲数、採点曲履歴等を蓄積したものである。なお、加入者情報ＤＢの内容は、新たなユーザのサービス利用申し込み、各加入者による着信メロディのダウンロードの実行、各加入者による着信メロディの採点の実行等に応じて制御部１０の処理により適宜更新される。
【００５９】
以下に、コンテンツ提供装置１から配信されてアクセス先の携帯電話器２で表示される画像について説明する。ここで、図４（ａ）〜（ｄ）の各画像、及び図５（ａ）〜（ｄ）の各画像はそれぞれ、プログラム的な要素も含んでおり、表示される画像の選択可能項目がユーザの操作により携帯電話器２で選択されると、その項目が選択された旨がコンテンツ提供装置１へ通知される。例えば、図４（ａ）の画像で「２．着信メロディ一覧」が選択されると、「２．着信メロディ一覧」が選択された旨を示すデータが携帯電話器２からコンテンツ提供装置１へ送信される。
【００６０】
コンテンツ提供装置１は、外部からのアクセスに伴い送信されてきたデータに応じて対応するメニュー画像をＨＤＤ１３から読み出し、アクセス先の携帯電話器２へ送信する処理を行なう。具体的には、制御部１０は、携帯電話器２から送信された「２．着信メロディ一覧」が選択された旨を示すデータに対応して、図４（ｂ）に示すようなメニュー画像をＨＤＤ１３から読み出して携帯電話器２へ送信する。なお、図４（ａ）に示す画像で「３．評価情報」が選択されると、図４（ｄ）に示すようなメニュー画像が携帯電話器２へ提供される。
【００６１】
上述した構成のコンテンツ提供システム１００において、携帯電話器２のユーザが、コンテンツ提供装置１によって提供される着信メロディを取得するために操作部２６の所定の操作ボタンを操作した場合、システムコントロール部２０は、第１メモリ部２１に記憶してある通信プログラム及びブラウザプログラムを実行し、ユーザにより指定された着信音配信サイトにアクセスする。なお、携帯電話器２は、着信音配信サイトへアクセスする場合、第１メモリ部２１に記憶してある機種名及び電話番号をアクセス先のＷｅｂサイト、ここではコンテンツ提供装置１へ送信する。
【００６２】
コンテンツ提供装置１は、携帯電話器２からの機種名及び電話番号を通信インタフェース１４により受信することにより、制御部１０は、Ｗｅｂサイトの要求を受け付け、受け付けた要求に対応するメニュー画像をＨＤＤ１３から読み出して通信インタフェース１４から携帯電話器２へ提供する。具体的には、コンテンツ提供装置１は、まず、アクセスされた着信音配信サイトのトップページとして図４（ａ）に示すメニュー画像を携帯電話器２へ送信する。図４（ａ）に示すメニュー画像は「１．新着情報」「２．着信メロディ一覧」「３．評価情報」を表記する。携帯電話器２のユーザが「１．新着情報」を選択した場合、コンテンツ提供装置１は、コンテンツ提供システム１００において提供される着信メロディを選択するための選択画面として、各着信メロディの曲名を新着順で表記するメニュー画像（図示せず）を携帯電話器２へ送信する。
【００６３】
また、ユーザが「２．着信メロディ一覧」を選択した場合、コンテンツ提供装置１は、図４（ｂ）に示すメニュー画像を携帯電話器２へ送信する。図４（ｂ）に示すメニュー画像は「１．曲名順」「２．アーティスト順」を表記する。従って、ユーザが更に「１．曲名順」を選択した場合、コンテンツ提供装置１は、図４（ｃ）に示すように、コンテンツ提供システム１００において提供される着信メロディを選択するための選択画面として、各着信メロディの曲名を５０音順で表記するメニュー画像を携帯電話器２へ送信する。図４（ｃ）に示すメニュー画像は、５０音順で表記される曲名のほか、各着信メロディの曲番及び、既に収集されてＨＤＤ１３の着信音情報ＤＢに蓄積された各着信メロディの評価も表記する。
【００６４】
ここで、コンテンツ提供装置１は、携帯電話器２との通信において受信した携帯電話器２の機種名に基づいて、対応するメニュー画像をＨＤＤ１３から読み出して送信する。具体的には、携帯電話器２から受信した機種名に対応して着信音情報ＤＢに記憶してある各着信メロディの曲名を５０音順で表記するメニュー画像を携帯電話器２へ送信する。なお、以降で説明する各メニュー画像も、機種名に対応してコンテンツ提供装置１から携帯電話器２へ提供されるものである。
【００６５】
一方、図４（ｂ）に示すメニュー画像においてユーザが「２．アーティスト順」を選択した場合、コンテンツ提供装置１は、５０音順で表記されるアーティストに対応させて各着信メロディの曲名を表記するメニュー画像（図示せず）を携帯電話器２へ送信する。
【００６６】
また、図４（ａ）に示すメニュー画像において、ユーザが「３．評価情報」を選択した場合、コンテンツ提供装置１の制御部（作成手段）１０は、図４（ｄ）に示すように、ＨＤＤ１３の着信音情報ＤＢに蓄積された各着信メロディの評価を一覧表示するための一覧情報を作成して携帯電話器２へ送信する。図４（ｄ）に示すメニュー画像は、各着信メロディの曲名を、既に収集されてＨＤＤ１３の着信音情報ＤＢに蓄積された各着信メロディの評価について降順で表記する。なお、図４（ｄ）では、各着信メロディの評価を５点満点で示しており、図４（ｃ）では、各着信メロディの評価をそれぞれを示す表示マークで示しているが、いずれの表記方法でもよい。各評価を例えば５段階に分類し、それぞれの段階毎に異なるマークを割り当てることでそれぞれの評価を示すことができる。
【００６７】
携帯電話器２のユーザは、図４（ｃ）及び（ｄ）に示すメニュー画像においてそれぞれの着信メロディを示す曲名を選択し、確定ボタンを操作することで、コンテンツ提供装置１に所望の着信メロディの試聴又はダウンロードを要求することができる。なお、図４（ｃ）及び（ｄ）に示すメニュー画像において、各着信メロディの評価がユーザにより選択された場合、コンテンツ提供装置１は、選択された着信メロディについてＨＤＤ１３の着信音情報ＤＢに記憶してある評価コメントを携帯電話器２へ提供することができる。
【００６８】
図４（ｃ）及び（ｄ）では共に曲名が「踊る！」の着信メロディが選択されており、ユーザにより確定ボタンが操作された携帯電話器２は、「踊る！」が選択された旨を示すデータをコンテンツ提供装置１へ送信する。コンテンツ提供装置１は、図５（ａ）に示すメニュー画像を携帯電話器２へ送信する。図５（ａ）に示すメニュー画像は、選択された着信メロディの曲名を表記してユーザによる確認を促すと共に、選択された着信メロディの試聴又はダウンロードの選択を指示する。
【００６９】
ここで、ユーザが「１．試聴」を選択した場合、コンテンツ提供装置１の制御部１０は、携帯電話器２から受信したデータに基づいて、アクセス先の携帯電話器２の機種名及び選択された着信メロディの曲番に対応する試聴用データ（再生用データ）の要求を受け付ける要求受付手段として動作し、受け付けた要求に対応する試聴用データをＨＤＤ１３から読み出し、通信インタフェース（提供手段）１４から携帯電話器２へ送信する。また、コンテンツ提供装置１は、試聴用データの送信終了後、図５（ｂ）に示すメニュー画像を携帯電話器２へ送信する。携帯電話器２は、取得した試聴用データを音声出力部２４から出力し、音声出力終了後に図５（ｂ）に示すメニュー画像を表示部２５に表示させる。
【００７０】
図５（ｂ）に示すメニュー画像は、試聴した着信メロディについての採点及び評価コメントの入力を要求しており、このメニュー画像に従って、携帯電話器２のユーザは、試聴した着信メロディについての評価を行なう。具体的には、ユーザは、試聴した着信メロディの５段階評価による採点を行ない、特に批評したい場合にはコメントを操作部２６の操作によって入力する。携帯電話器２は、図５（ｂ）に示すメニュー画像において、採点及びコメントの入力を受け付け、操作部２６の確定ボタンが操作された場合、採点された着信メロディの曲番、点数及びコメントを含む評価情報を、自身の電話番号と共にコンテンツ提供装置１へ送信する。
【００７１】
コンテンツ提供装置１の制御部１０は、携帯電話器２から送信された評価情報を取得した場合、取得した評価情報に基づいて、ＨＤＤ１３の着信音情報ＤＢ中の対応する着信メロディにおける評価合計に、取得した点数を加算すると共に評価数に１を加算し、評価合計及び評価数の欄を更新する。また、コンテンツ提供装置１は、加算された評価合計及び評価数に基づいて平均評価を算出して評価の欄を更新し、また、受信したコメントを対応する評価コメントの欄に記憶させる。従って、制御部１０は、携帯電話器２から受信した評価情報を、ＨＤＤ１３の着信音情報ＤＢ中の所定の着信メロディに対応させて記憶させる記憶制御手段として動作する。
【００７２】
一方、コンテンツ提供装置１の制御部１０は、評価情報の送信元である携帯電話器２の電話番号に基づいて、ＨＤＤ１３の加入者情報ＤＢ中の対応する加入者における採点曲数に１を加算し、受信した曲番を採点曲履歴の欄に記憶させる。また、コンテンツ提供装置１は、加入者情報ＤＢの更新終了後に図５（ｃ）に示すメニュー画像を携帯電話器２へ送信する。図５（ｃ）に示すメニュー画像は、ＨＤＤ１３の加入者情報ＤＢで管理している採点曲数をユーザに通知すると共に、ユーザが着信メロディの評価を行なうことによるメリット、具体的には「あと１曲採点でプレゼント曲ＧＥＴ」を表示し、ユーザによる着信メロディの採点を促進する。
【００７３】
また、図５（ｃ）に示すメニュー画像は、試聴した上で採点した着信メロディをダウンロードするか否かの選択を指示しており、「ＹＥＳ」が選択された場合、携帯電話器２のシステムコントロール部２０は、自身の機種名及び電話番号と、試聴した上でダウンロードを要求する着信メロディを示す曲番とをコンテンツ提供装置１へ送信する。コンテンツ提供装置１は、携帯電話器２から受信した機種名及び曲番に対応するダウンロード用データをＨＤＤ１３から読み出し、携帯電話器２へ送信する。コンテンツ提供装置１は、ダウンロード用データの送信終了後、図５（ｄ）に示すメニュー画像を携帯電話器２へ送信する。
【００７４】
携帯電話器２は、コンテンツ提供装置１から提供されるダウンロード用データを第２メモリ部２２の所定領域に順次記憶させ、記憶処理終了後に図５（ｄ）に示すメニュー画像を表示させる。コンテンツ提供装置１からの着信メロディのダウンロードが終了した場合、ユーザは携帯電話器２のコンテンツ提供装置１との通信を終了する。なお、図５（ｃ）に示すメニュー画像において「ＮＯ」が選択された場合、携帯電話器２のシステムコントロール部２０は、着信メロディの試聴及びダウンロードに係る処理を終了してコンテンツ提供装置１との通信を終了する。
【００７５】
一方、図５（ａ）に示すメニュー画像において、ユーザが「２．ダウンロード」を選択した場合、携帯電話器２のシステムコントロール部２０は、自身の機種名及び電話番号と、ダウンロードを要求する着信メロディを示す曲番とをコンテンツ提供装置１へ送信する。コンテンツ提供装置１は、携帯電話器２から受信した機種名及び曲番に対応するダウンロード用データをＨＤＤ１３から読み出し、携帯電話器２へ送信する。
【００７６】
ここで、本実施形態のコンテンツ提供装置１の制御部１０は、ユーザが「２．ダウンロード」を選択した場合、即ちユーザによって試聴されずにダウンロードが要求された場合、要求された着信メロディのダウンロード用データ（再生用データ）と共に、ダウンロードされた着信メロディが携帯電話器２で再生された場合に、この着信メロディについての評価情報を送信する送信命令を提供する。携帯電話器２のユーザは、コンテンツ提供装置１からの着信メロディのダウンロードが終了した場合、携帯電話器２のコンテンツ提供装置１との通信を終了する。
【００７７】
なお、送信命令は、携帯電話器２にダウンロードされた着信メロディが初めて音声出力部２４で再生された場合に、再生終了後に自動的にシステムコントロール部２０によって実行されるプログラムである。システムコントロール部２０は、送信命令に従った処理を実行した場合、第１メモリ部２１に記憶してある通信プログラム及びブラウザプログラムを実行することになり、所定の着信音配信サイトにアクセスし、図５（ｂ）に示すような、再生した着信メロディの採点を行なうためのメニュー画像を取得する。
【００７８】
具体的には、ユーザが、携帯電話器２にダウンロードした着信メロディを後日に再生させた場合、システムコントロール部２０が、ダウンロードして第２メモリ部２２に記憶された着信メロディを音声出力部２４で音声出力させる。システムコントロール部２０は、着信メロディの音声出力終了後、ダウンロード用データと共にコンテンツ提供装置１から受信していた送信命令に従って、コンテンツ提供装置１へアクセスし、図５（ｂ）に示すようなメニュー画像を取得する。
【００７９】
なお、携帯電話器２のユーザは、図５（ｂ）に示すメニュー画像に従って、携帯電話器２で再生させた着信メロディについての採点及びコメントの入力を行ない、操作部２６の確定ボタンを操作する。これにより、採点された着信メロディの曲番、点数及びコメントを含む評価情報が携帯電話器２からコンテンツ提供装置１へ送信され、コンテンツ提供装置１は、受信した評価情報に基づいて、ＨＤＤ１３の着信音情報ＤＢ及び加入者情報ＤＢを更新する。そして、コンテンツ提供装置１は、図５（ｃ）に示すメニュー画像を携帯電話器２へ送信し、蓄積された採点曲数をユーザに通知する。
【００８０】
このように、コンテンツ提供システム１００で提供される着信メロディを試聴した場合、携帯電話器２のユーザは、試聴後に着信メロディの採点及びコメントの入力を行なってコンテンツ提供装置１へ送信する。また、ユーザは、試聴せずにダウンロードした場合には、ダウンロードした着信メロディを携帯電話器２で再生させた後に着信メロディの採点及びコメントの入力を行なってコンテンツ提供装置１へ送信する。従って、コンテンツ提供装置１が提供する着信メロディについての採点及びコメントを確実に携帯電話器２から収集することができる。また、ユーザは、着信メロディについての採点及びコメントの入力を行なうために、わざわざ所定のＷｅｂサイトにアクセスする必要がなく、ユーザの手間を軽減することができる。
【００８１】
以下に、上述した構成のコンテンツ提供システム１００において、コンテンツ提供装置１が携帯電話器２からの要求に従って着信メロディを提供する処理について説明する。図６及び図７は本実施形態のコンテンツ提供システム１００における着信メロディの提供処理の手順を示すフローチャートである。なお、以下の処理は、携帯電話器２の第１メモリ部２１及び第２メモリ部２２に記憶してある制御プログラムに従ってシステムコントロール部２０が実行すると共に、コンテンツ提供装置１のＲＯＭ１１に記憶してある制御プログラムに従って制御部１０が実行する。
【００８２】
先ず、携帯電話器２のユーザは所望の着信メロディを取得するために、携帯電話器２でコンテンツ提供装置１がネットワーク３で公開するＷｅｂサイトにアクセスする（Ｓ１）。コンテンツ提供装置１の制御部１０は、アクセスされたＷｅｂサイトのトップページとして図４（ａ）に示すメニュー画像をＨＤＤ１３から読み出してアクセス先の携帯電話器２へ送信する（Ｓ２）。携帯電話器２のシステムコントロール部２０は、コンテンツ提供装置１から受信したメニュー画像を表示部２５に表示させる（Ｓ３）。
【００８３】
システムコントロール部２０は、表示部２５に表示されるメニュー画像中の選択可能項目がユーザの操作により選択されたか否かを判断しており（Ｓ４）、選択可能項目、具体的には図４（ａ）における「１．新着情報」「２．着信メロディ一覧」「３．評価情報」のいずれかが選択されたと判断した場合（Ｓ４：ＹＥＳ）、選択された項目を示すデータをコンテンツ提供装置１へ送信する（Ｓ５）。なお、システムコントロール部２０は、選択可能項目が選択されていないと判断した場合（Ｓ４：ＮＯ）、いずれかの項目が選択されるまで待機する。
【００８４】
コンテンツ提供装置１の制御部１０は、携帯電話器２から受信するデータに基づいて、メニュー画像が要求されているか否かを判断し（Ｓ６）、メニュー画像が要求されていると判断した場合（Ｓ６：ＹＥＳ）、対応するメニュー画像をＨＤＤ１３から読み出して携帯電話器２へ送信する（Ｓ７）。携帯電話器２のシステムコントロール部２０は、コンテンツ提供装置１から受信したメニュー画像を表示部２５に表示させ（Ｓ８）、ステップＳ４へ処理を移行する。
【００８５】
なお、携帯電話器２のシステムコントロール部２０が、上述したステップＳ４〜Ｓ８の処理を繰り返すことにより、図５（ａ）に示すように、ユーザが選択した所望の着信メロディの試聴又はダウンロードを選択するためのメニュー画像を表示部２５に表示させることができる。
【００８６】
コンテンツ提供装置１の制御部１０は、ステップＳ６でメニュー画像が要求されていないと判断した場合（Ｓ６：ＮＯ）、携帯電話器２から受信するデータに基づいて、提供する着信メロディの試聴が要求されたか否かを判断する（Ｓ９）。制御部１０は、試聴が要求されていると判断した場合（Ｓ９：ＹＥＳ）、携帯電話器２から受信していた機種名及び曲番に対応する試聴用データを携帯電話器２へ送信し、次いで図５（ｂ）に示すメニュー画像をＨＤＤ１３から読み出して携帯電話器２へ送信する（Ｓ１０）。
【００８７】
携帯電話器２のシステムコントロール部２０は、コンテンツ提供装置１から受信した試聴用データを音声出力部２４で出力し（Ｓ１１）、音声出力終了後に図５（ｂ）に示すメニュー画像を表示部２５に表示させる（Ｓ１２）。ユーザは操作部２６を操作して携帯電話器２で音声出力させた着信メロディについての採点及びコメントの入力を行ない、操作部２６の確定ボタンを操作する。
【００８８】
システムコントロール部２０は、ユーザにより確定ボタンが操作されたか否かを判断しており（Ｓ１３）、確定ボタンが操作されていないと判断した場合（Ｓ１３：ＮＯ）、操作されるまでユーザによる着信メロディの採点及びコメントの入力を受け付けて待機しており、確定ボタンが操作されたと判断した場合（Ｓ１３：ＹＥＳ）、受け付けた着信メロディの評価情報を自身の電話番号と共にコンテンツ提供装置１へ送信する（Ｓ１４）。
【００８９】
コンテンツ提供装置１の制御部１０は、携帯電話器２から受信した評価情報に基づいてＨＤＤ１３の着信音情報ＤＢ及び加入者情報ＤＢを更新し（Ｓ１５）、図５（ｃ）に示すメニュー画像をＨＤＤ１３から読み出して携帯電話器２へ送信する（Ｓ１６）。携帯電話器２のシステムコントロール部２０は、コンテンツ提供装置１から受信したメニュー画像を表示部２５に表示させ（Ｓ１７）、今までの採点曲数をユーザに通知する。
【００９０】
システムコントロール部２０は、図５（ｃ）に示すメニュー画像においてユーザにより「ＹＥＳ」が選択されるか否かに基づいて、試聴された着信メロディのダウンロードが要求されたか否かを判断しており（Ｓ１８）、ダウンロードが要求されたと判断した場合（Ｓ１８：ＹＥＳ）、試聴して採点された着信メロディのダウンロードをコンテンツ提供装置１に要求する（Ｓ１９）。コンテンツ提供装置１は、携帯電話器２から受信した機種名及びダウンロードが要求された曲番に対応するダウンロード用データをＨＤＤ１３から読み出して携帯電話器２へ送信し（Ｓ２０）、携帯電話器２は、受信したダウンロード用データを第２メモリ部２２に記憶させ（Ｓ２１）、その後、コンテンツ提供装置１との通信を終了し、上述した処理を終了する。
【００９１】
ステップＳ１８で、システムコントロール部２０は、ダウンロードが要求されないと判断した場合（Ｓ１８：ＮＯ）、即ち、図５（ｃ）に示すメニュー画像においてユーザにより「ＮＯ」が選択された場合、コンテンツ提供装置１との通信を終了して、上述した処理を終了する。
【００９２】
一方、ステップＳ９において、制御部１０は、試聴が要求されていないと判断した場合（Ｓ９：ＮＯ）、即ち、試聴をせずに着信メロディのダウンロードが要求された場合、携帯電話器２から受信していた機種名及び選択された曲番に対応するダウンロード用データをＨＤＤ１３から読み出し、提供する着信メロディが携帯電話器２で再生された場合に評価情報の送信を要求する送信命令と共に携帯電話器２へ送信し、次いで図５（ｄ）に示すメニュー画像をＨＤＤ１３から読み出して携帯電話器２へ送信する（Ｓ２２）。
【００９３】
携帯電話器２のシステムコントロール部２０は、コンテンツ提供装置１から受信したダウンロード用データ及び送信命令を第２メモリ部２２に記憶させ（Ｓ２３）、記憶処理終了後に図５（ｄ）に示すメニュー画像を表示部２５に表示させ（Ｓ２４）、その後、コンテンツ提供装置１との通信を終了し、上述した処理を終了する。
【００９４】
以下に、上述したようにコンテンツ提供装置１からダウンロードした着信メロディを携帯電話器２で再生させる処理について説明する。図８は本実施形態の携帯電話器２による着信メロディの再生処理の手順を示すフローチャートである。なお、以下の処理は、携帯電話器２の第１メモリ部２１及び第２メモリ部２２に記憶してある制御プログラムに従ってシステムコントロール部２０が実行する。
【００９５】
携帯電話器２のユーザは、第２メモリ２２に記憶してある着信メロディを着信音として設定する場合等のように各着信メロディを再生させたい場合、操作部２６の所定の操作ボタンを操作する。携帯電話器２のシステムコントロール部２０は、ユーザの操作により選択された着信メロディを第２メモリ部２２から読み出して音声出力部２４で音声出力させる（Ｓ３１）。
【００９６】
システムコントローラ部２０は、音声出力した着信メロディをダウンロードした際に共にコンテンツ提供装置１から受信した送信命令が第２メモリ部２２に記憶されているか否かを判断し（Ｓ３２）、送信命令がないと判断した場合（Ｓ３２：ＮＯ）、即ち、既に採点及びコメントの入力が終了している着信メロディ、又は携帯電話器２の販売時から第２メモリ部２２に記憶されていた着信メロディについては、音声出力後に処理を終了する。
【００９７】
システムコントローラ部２０は、送信命令があると判断した場合（Ｓ３２：ＹＥＳ）、第２メモリ部２２に記憶してある送信命令を実行し（Ｓ３３）、コンテンツ提供装置１がネットワーク３で公開するＷｅｂサイトにアクセスする（Ｓ３４）。コンテンツ提供装置１の制御部１０は、アクセスされたＷｅｂサイトとして図５（ｂ）に示すメニュー画像をＨＤＤ１３から読み出してアクセス先の携帯電話器２へ送信し（Ｓ３５）、携帯電話器２は、受信したメニュー画像を表示部２５に表示させる（Ｓ３６）。
【００９８】
システムコントロール部２０は、ユーザにより確定ボタンが操作されたか否かを判断しており（Ｓ３７）、確定ボタンが操作されていないと判断した場合（Ｓ３７：ＮＯ）、操作されるまでユーザによる着信メロディの採点及びコメントの入力を受け付けて待機しており、確定ボタンが操作されたと判断した場合（Ｓ３７：ＹＥＳ）、受け付けた着信メロディの曲番、採点情報及びコメント情報を含む評価情報を電話番号と共にコンテンツ提供装置１へ送信する（Ｓ３８）。
【００９９】
コンテンツ提供装置１の制御部１０は、携帯電話器２から受信した評価情報及び電話番号に基づいてＨＤＤ１３の着信音情報ＤＢ及び加入者情報ＤＢを更新し（Ｓ３９）、図５（ｃ）に示すメニュー画像をＨＤＤ１３から読み出して携帯電話器２へ送信する（Ｓ４０）。携帯電話器２のシステムコントロール部２０は、コンテンツ提供装置１から受信したメニュー画像を表示部２５に表示させ（Ｓ４１）、今までの採点曲数をユーザに通知した後、コンテンツ提供装置１との通信を終了し、上述した処理を終了する。
【０１００】
上述したように、ネットワーク３を介して携帯電話器２から要求された着信メロディ（コンテンツ）を提供した場合に、コンテンツ提供装置１が、提供した着信メロディについての評価情報の返信を要求し、携帯電話器２から返信された評価情報を、それぞれの着信メロディに対応させてＨＤＤ１３に記憶させておくことにより、それぞれの着信メロディの評価情報を管理することができる。また、携帯電話器２がネットワーク３を介してコンテンツ提供装置１へアクセスする場合に、自身の機種名をコンテンツ提供装置１へ通知する仕様を利用することによって、携帯電話器２のユーザは自身の機種を意識することなく、機種毎に各着信メロディの評価情報を管理することができる。
【０１０１】
また、ユーザから収集した評価情報を利用して、例えば評価の低い着信メロディの提供の中止、ユーザから収集した着信メロディに関する評価コメントに基づいて着信メロディの修正等を行なうことにより、より良い着信メロディの提供を実施することができる。なお、修正を加えた着信メロディについて、例えば図４（ｃ）又は（ｄ）に示すメニュー画像中に修正済みマークを付加して表示することにより、着信メロディの提供サイトのユーザに着信メロディの修正済みを通知することができる。
【０１０２】
更に、コンテンツ提供装置１は、各着信メロディの評価情報と共に各評価コメントを送信した携帯電話器２の電話番号も管理しているため、評価コメントを送信した携帯電話器２へ修正を加えた着信メロディの再取得を通知することもでき、再取得を通知した着信メロディについては無料で提供する等、ユーザから収集した評価情報を様々なサービスに利用することができる。
【０１０３】
一方、コンテンツ提供システム１００を利用して着信メロディのダウンロードを行なうユーザに、１０曲採点する毎に着信メロディを１曲プレゼントする等の特典を与えることにより、ユーザによる着信メロディの評価を促進することができる。また、着信メロディの採点曲数が多いユーザを特に優遇して、１回の採点に重みを付加するサービスの提供も可能である。
【０１０４】
更に、例えば、コンテンツ提供システム１００が、月額料金３００円で１５曲の着信メロディのダウンロードが可能となる第１サービスと、月額料金９０円で３曲の着信メロディのダウンロードが可能となる第２サービスとを提供している場合において、第１サービスの加入者を第２サービスの加入者よりも優遇して、着信メロディの１回の採点に重みを付加する新たなサービスの提供も可能となり、各サービスへの加入を促進することができる。
【０１０５】
上述した実施形態では、図４（ｃ）及び（ｄ）で示すメニュー画像は、コンテンツ提供装置１にＷｅｂサイトを要求した携帯電話器２の機種用の着信メロディの評価情報を一覧表示しているが、機種を選択することにより、各機種用の着信メロディの評価情報を一覧表示させる構成とすることもできる。また、ＨＤＤ１３の着信音情報ＤＢに記憶してある評価数に基づいて、所定数以下の評価数の評価情報を表示させないようにすることにより、収集した評価情報について母集団が少なく信頼性の低い評価については公表しないメニュー画像を提供することもできる。
【０１０６】
また、上述した実施形態では、コンテンツ提供装置１が、着信メロディの提供と、携帯電話器２から収集した各着信メロディの評価情報の管理とを行なう構成について説明したが、着信メロディの提供及び評価情報の管理をそれぞれ異なるサーバ装置で行なう構成とすることもできる。
【図面の簡単な説明】
【０１０７】
【図１】本発明に係るデータ提供システムを利用したコンテンツ提供システムの構成例を示す模式図である。
【図２】本実施形態のコンテンツ提供装置及び携帯電話器の内部構成例を示すブロック図である。
【図３】（ａ）は着信音情報データベースの構成例を示す模式図であり、（ｂ）は加入者情報データベースの構成例を示す模式図である。
【図４】メニュー画像を示す模式図である。
【図５】メニュー画像を示す模式図である。
【図６】本実施形態のコンテンツ提供システムにおける着信メロディの提供処理の手順を示すフローチャートである。
【図７】本実施形態のコンテンツ提供システムにおける着信メロディの提供処理の手順を示すフローチャートである。
【図８】本実施形態の携帯電話器による着信メロディの再生処理の手順を示すフローチャートである。
【符号の説明】
【０１０８】
１００  コンテンツ提供システム（データ提供システム）
１  コンテンツ提供装置（データ提供装置）
１０  制御部（作成手段、要求受付手段、記憶制御手段）
１３  ＨＤＤ（記憶部）
１４  通信インタフェース（接続部、提供手段）
２ａ〜２ｍ  携帯電話器（通信装置）
２４  音声出力部（再生手段）
３  ネットワーク
４ａ〜４ｎ  中継基地局
【図１】
2005352601.tif 000003
【図２】
2005352601.tif 000004
【図３】
2005352601.tif 000005
【図４】
2005352601.tif 000006
【図５】
2005352601.tif 000007
【図６】
2005352601.tif 000008
【図７】
2005352601.tif 000009
【図８】
2005352601.tif 000010